(57)【要約】【課題】遊技球の払出速度を高速化しても球詰まりの発生を回避できる払出装置を備えた遊技機を提供する。【解決手段】パチンコ機の払出装置では、スプロケット１５０の外周面に設けた凹部１５２Ａ、１５２Ｂの縦壁部２００及び溝部２０２における２つの角部２０４の３箇所で遊技球ＰＢを支持し、スプロケット１５０の回転によって排出通路へ払い出すよう構成する。遊技球ＰＢが３箇所で支持され払い出し方向（下流側）へ誘導されるため、スプロケット１５０の回転方向と直交する方向での遊技球ＰＢの移動が抑えられ、遊技球ＰＢの払い出し速度を高速化する場合でも、スプロケット１５０の凹部１５２Ａ、１５２Ｂに支持（装填）された遊技球ＰＢのガタツキやバウンド等が抑えられ、球詰まりの発生を回避できるようになる。【選択図】図２３
2008068030.tif 000002
【特許請求の範囲】
【請求項１】
上流側から遊技球を供給する供給通路と、
前記遊技球を下流側へ排出する排出通路と、
前記供給通路と前記排出通路の間に回転可能に設けられ、供給通路から供給された前記遊技球を外周面に設けられた凹部の３箇所の支持部により支持して回転し排出通路へ払い出す回転体と、
を備えた払出装置を有することを特徴とする遊技機。
【請求項２】
前記凹部における３箇所の支持部は、前記回転体の回転方向における上流側に設けられその回転方向に対して略直交する向きに配置された縦壁部と、前記回転方向における下流側に回転方向に沿って設けられた溝部の対向する２つの角部と、からなることを特徴とする請求項１記載の遊技機。
【請求項３】
前記排出通路における前記回転体側に、回転体の回転に伴って前記遊技球に接触しその遊技球を凹部から離脱させて通路内に落下させるガイド部が設けられていることを特徴とする請求項１又は請求項２記載の遊技機。
【請求項４】
前記ガイド部は、回転体の回転方向に対し略直交する方向に沿って延設された壁状部と、前記壁状部における前記回転体側の端部に設けられて前記遊技球が接触する凹溝と、を有することを特徴とする請求項３記載の遊技機。
【請求項５】
前記回転体の外周面に回転方向に沿ってスリットが設けられ、
前記ガイド部は、前記スリット内に挿入された凸状部を有することを特徴とする請求項３記載の遊技機。
【発明の詳細な説明】
【技術分野】
【０００１】
本発明は、供給通路から供給される遊技球を回転体に設けられた凹部により支持して回転体の回転に伴い払出通路へ払い出す払出装置を備えた遊技機に関する。
【背景技術】
【０００２】
パチンコ機等の遊技機に設けられた、貸し球や賞球等の遊技球を払い出し又は停止させる払出装置（賞球装置）では、供給通路から供給された遊技球を、スプロケット（回転体）の凹部（球支持部）により支持してスプロケットの回転に伴い排出通路へ払い出すよう構成したもの（例えば、特許文献１参照）、あるいは、複数の供給通路から供給された遊技球を、スプロケットの凹部（球載置面）に載せてスプロケットの回転に伴い１つの排出通路へ払い出すよう構成したもの（例えば、特許文献２参照）が提案されている。
【特許文献１】特開平１−３０８５８０号公報
【特許文献２】特開２０００−１３５３５６号公報
【発明の開示】
【発明が解決しようとする課題】
【０００３】
しかしながら、上記の払出装置では、スプロケットが遊技球を凹部の１箇所（１点）又は２箇所（２点）に接触させて支持し払い出し方向（下流側）へ誘導させるため、スプロケットの回転方向と直交する方向で遊技球に自由があり、遊技球の払い出し速度を高速化する場合等に、遊技球のガタツキやバウンド等によって、スプロケットとガイドの間で球詰まり（球噛み）しやすくなる問題がある。
【０００４】
本発明は上記事実を考慮して、遊技球の払出速度を高速化しても球詰まりの発生を回避できる払出装置を備えた遊技機を提供することを課題とする。
【課題を解決するための手段】
【０００５】
上記課題を解決するために請求項１に記載の発明は、上流側から遊技球を供給する供給通路と、前記遊技球を下流側へ排出する排出通路と、前記供給通路と前記排出通路の間に回転可能に設けられ、供給通路から供給された前記遊技球を外周面に設けられた凹部の３箇所の支持部により支持して回転し排出通路へ払い出す回転体と、を備えた払出装置を有することを特徴としている。
【０００６】
請求項１に記載の発明では、上流側から供給通路を通って供給された遊技球は、回転体の外周面に設けられた凹部に嵌まり込んで支持され、回転体の回転に伴い、下流側の排出通路へ払い出される。そしてこの回転体の凹部では、遊技球を３箇所の支持部で支持し払い出し方向（下流側）へ誘導させるため、回転体の回転方向と直交する方向での遊技球の移動が抑えられる。これにより、遊技球の払い出し速度を高速化する場合でも、回転体の凹部に支持（装填）された遊技球のガタツキやバウンド等が抑制され、球詰まりの発生を回避できるようになる。
【０００７】
請求項２に記載の発明は、請求項１記載の遊技機において、前記凹部における３箇所の支持部は、前記回転体の回転方向における上流側に設けられその回転方向に対して略直交する向きに配置された縦壁部と、前記回転方向における下流側に回転方向に沿って設けられた溝部の対向する２つの角部と、からなることを特徴としている。
【０００８】
請求項２に記載の発明では、凹部に３箇所で支持された遊技球は、回転体の回転方向における上流側では、回転方向に対して略直交する向きに配置された縦壁部に当接されて支持され、下流側では、回転方向に沿って設けられた溝部に嵌まり込み、対向する２つの角部に支持されて、払い出し方向へ誘導される。この溝部によって、回転方向と直交する方向への遊技球の移動を抑えつつ、縦壁部によって、遊技球を回転方向へ押圧し円滑に誘導できるようになり、球詰まりの発生をより確実に回避できるようになる。
【０００９】
請求項３に記載の発明は、請求項１又は請求項２記載の遊技機において、前記排出通路における前記回転体側に、回転体の回転に伴って前記遊技球に接触しその遊技球を凹部から離脱させて通路内に落下させるガイド部が設けられていることを特徴としている。
【００１０】
請求項３に記載の発明では、回転体の凹部に支持された遊技球は、回転体の回転に伴い、排出通路における回転体側に設けられたガイド部に接触して、凹部から離脱し通路内に落下する。このようなガイド部を設けることで、回転体から払出通路への円滑な遊技球の受け渡しが可能となる。
【００１１】
請求項４に記載の発明は、請求項３記載の遊技機において、前記ガイド部は、回転体の回転方向に対し略直交する方向に沿って延設された壁状部と、前記壁状部における前記回転体側の端部に設けられて前記遊技球が接触する凹溝と、を有することを特徴としている。
【００１２】
例えば、回転体の凹部に嵌め込まれて支持された遊技球を、回転体の回転に伴って払出通路へ受け渡す壁状部（ガイド部）の形状が、回転体の回転方向と直交する一様のエッジ（平端部）等であると、特に回転体の高速回転による高速払い出しにおいて、回転体との間での球詰まりが発生しやすくなる。
【００１３】
これに対し、請求項４に記載の発明では、回転体の回転方向に対し略直交する方向に沿って延設された壁状部の回転体側の端部に設けられた凹溝に遊技球が接触して、払い出し方向へ押し出されるようになるため、回転体とガイド部との間で発生する球詰まりが回避できる。
【００１４】
請求項５に記載の発明は、請求項３記載の遊技機において、前記回転体の外周面に回転方向に沿ってスリットが設けられ、前記ガイド部は、前記スリット内に挿入された凸状部を有することを特徴としている。
【００１５】
請求項５に記載の発明では、回転体の外周面に回転方向に沿って設けられたスリット内に、ガイド部を構成する凸状部を挿入させることで、回転体の回転に伴い遊技球が凸状部に接触し、払い出し方向へ叩き落とされるようになる。これにより、回転体とガイド部との間で発生する球詰まりをより確実に回避することができる。
【発明の効果】
【００１６】
本発明の払出装置を備えた遊技機によれば、遊技球の払出速度を高速化しても球詰まりの発生を回避することができる。
【発明を実施するための最良の形態】
【００１７】
以下、本発明の実施形態に係る遊技機について図面を参照して説明する。
【００１８】
（第１の実施形態／パチンコ機の構成）
図１〜図３には、本発明の第１の実施形態に係るパチンコ機１０が示されている。図１〜図３に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００１９】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図２参照）。
【００２０】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域ＰＡが、パチンコ機１０の正面側から窓部２４のガラス板２６を通して視認可能とされている。
【００２１】
ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２２】
内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して発射装置６０（図２及び図３参照）へ供給する上皿４２が突設され、ベース４１の前面下部における上皿４２の左下に、上皿４２に貯留しきれない遊技球を貯留するための下皿４４が突設されている。
【００２３】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図２参照）へ誘導する整列通路４６が設けられている。ベース４１によって構成された上皿４２の奥壁面における右側端部には、内枠１４の裏面に設けられた払出装置６２（図３参照）から払い出された貸し球や賞球が排出される球排出口４８が形成されており、下皿４４の奥壁面における右側端部には、上皿４２に貯留しきれない遊技球が排出される球排出口４９が形成されている。
【００２４】
この皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００２５】
図２に示されるように、ベース４１の裏面における略中央部には、上皿４２に貯留しきれない遊技球を下皿４４へ流下させる球通路７０が設けられており、球通路７０よりも回転支軸側には、球送り装置４５が取り付けられている。球通路７０は、上端部に通路入口７２が形成され、下端部に形成された通路出口が球排出口４９とされている（図１参照）。
【００２６】
一方、内枠１４の前面下部における皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００２７】
貯球タンク７４は、上面が開口した箱型とされ、タンク底面が正面視にて左側から右側へ向けて下り傾斜している。タンク底面の傾斜方向上流側となる左端部には、詳細については後述する払出機構１００の払出装置６２から払い出された遊技球が流入するタンク入口（図示省略）が形成されており、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００２８】
図２及び図３に示されるように、内枠１４の裏面における開放側（裏面視左側）の側端部には、内枠１４及びガラス枠２２を施錠するための施錠装置６４が取り付けられており、施錠装置６４の下側には、皿ユニット４０をロックするためのロック装置６８が取り付けられている。この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００２９】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。さらに、ガラス枠２２を開放すると露出されるロック装置６８のロック解除レバー６９を操作すると、内枠１４にロックされていた皿ユニット４０がロック解除されて開放可能となる。
【００３０】
皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置され、タンク出口７６及び球排出口４８を介して貯球タンク７４と上皿４２とが連通される。
【００３１】
図３に示されるように、内枠１４の裏面における上部には、島設備から供給された遊技球を貯留するための上タンク８０及び下タンク８２が設けられている。内枠１４裏面の回転支軸側（裏面右側）の側端部には、上タンク８０及び下タンク８２に貯留された遊技球を貯球タンク７４側へ流下させる上部球通路ユニット８４及び下部球通路ユニット８６が延設されており、上部球通路ユニット８４と下部球通路ユニット８６の間に払出装置６２が取り付けられ、下部球通路ユニット８６の下側に発射装置６０が取り付けられている。また、発射装置６０の左側には、払出装置６２を制御して遊技球の払い出しを実行及び停止させる払出制御基板８８が設けられている。
【００３２】
払出制御基板８８による払出停止制御では、払出装置６２を駆動停止させて遊技球の払い出しを停止し、払出実行制御では、払出装置６２を駆動させて、上タンク８０及び下タンク８２から上部球通路ユニット８４を流下し払出装置６２に誘導された遊技球を、貸し球又は賞球として下部球通路ユニット８６へ払い出す。そして、下部球通路ユニット８６を通り貯球タンク７４へ誘導された遊技球は、貯球タンク７４内を上流側（左側）から下流側（右側）へ転動して球排出口４８から排出され、上皿４２に貯留される。さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図２の矢印Ａ方向）。この遊技球が遊技領域ＰＡを自重落下する過程で入賞又は外れとなることにより、遊技盤Ｇにて遊技球を用いた遊技が行われる。
【００３３】
遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００３４】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００３５】
本実施形態のパチンコ機１０では、パチンコ機本体を構成する内枠１４と、内枠１４の前面下部に開閉可能に設けられて上皿４２及び下皿４４をユニット化した皿ユニット４０とでの遊技球の主な流動経路は以上の通りであり、この内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００３６】
シャッター板９０、９２は、皿ユニット４０が閉塞されると各々下方へ移動して（図２に示される位置）、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。このシャッター板９０、９２によって、皿ユニット４０を開放した際に、貯球タンク７４及び上皿４２から遊技球が流出しないよう塞き止められる。
【００３７】
（払出機構の構成）
次に、パチンコ機１０の内枠１４の裏面に設けられた本実施形態の払出機構について詳細に説明する。図４〜図１５には、本実施形態に係る払出機構１００が示されている。払出機構１００は、基板となる矩形状のベース板１０２に、以下に説明する各部品が組み付けられてユニット化されており、図４に示されるユニット状態で、内枠１４の裏面に着脱可能とされている。
【００３８】
払出機構１００に設けられたベース板１０２の裏面左上端部には、前述した上タンク８０が取り付けられている。上タンク８０は、上面が開口した箱型とされ、タンク底面が裏面視の右側から左側へ向けて下り傾斜しており、傾斜方向下流側となるタンク底面上の左側端部にタンク出口（図示省略）が形成されている。
【００３９】
ベース板１０２の裏面上部には、上タンク８０の下側に隣接して下タンク８２が取り付けられている。下タンク８２は、上面が開口した箱型とされ、タンク底面が裏面視の左側から右側へ向けて下り傾斜しており、傾斜方向下流側がベース板１０２の裏面右側端部付近まで延出されている。この延出部の内部には、図７に示されるように、パチンコ機１０の前後方向に隣接する２本の球通路が設けられており、傾斜方向下流側となる右側端部に、２本の球通路に対応する２つのタンク出口８３Ａ、８３Ｂが形成されている。
【００４０】
ベース板１０２の裏面右側端部の上側には、前述した上部球通路ユニット８４が取り付けられており、図７では、上部球通路ユニット８４をベース板１０２から取り外した状態で示している。
【００４１】
上部球通路ユニット８４の上部には、下タンク８２のタンク出口８３Ａ、８３Ｂに対応する２つの通路入口（図示省略）が形成されており、上部球通路ユニット８４の内部には、図８〜図１５、図１８及び図１９に示されるように、各通路入口に流入した遊技球を払出経路へ流下させる２本の上部球払出通路１０４Ａ、１０４Ｂが設けられている。
【００４２】
上部球払出通路１０４Ａ、１０４Ｂは、上部球通路ユニット８４内の上部側では、前後方向に相互に隣接し、各々上方から下方へ向けてパチンコ機１０の幅方向である左右方向に蛇行するよう延設されている。また、上部球通路ユニット８４内の下部側に至ると、前側に位置する上部球払出通路１０４Ａが上部球通路ユニット８４内で後側へ蛇行しつつ左側（内側）に配置され、後側に位置する上部球払出通路１０４Ｂが上部球通路ユニット８４内で後側へ蛇行しつつ右側（外側）に配置され、左右方向に相互に隣接して各々下方へ向け延設されている。上部球通路ユニット８４の下面後部には、この上部球払出通路１０４Ａ、１０４Ｂを流下した遊技球が流出する２つの球払出通路出口１０６Ａ、１０６Ｂが左右方向に相互に隣接して形成されている。
【００４３】
上部球通路ユニット８４内の下部側には更に、上部球払出通路１０４Ａ、１０４Ｂの後側へ向けた蛇行部付近から分岐して、遊技球を排出経路へ流下させる２本の上部球排出通路１０８Ａ、１０８Ｂが設けられており、上部球払出通路１０４Ａ、１０４Ｂと上部球排出通路１０８Ａ、１０８Ｂとの分岐部には、球抜きレバー１２０が配置されている。
【００４４】
図１３及び図１５に示されるように、上部球排出通路１０８Ａ、１０８Ｂは、上部球払出通路１０４Ａ、１０４Ｂとの分岐部から下方前側へ向けて、左右方向に相互に隣接して各々直線状に延設されている。上部球通路ユニット８４の下面前部には、この上部球排出通路１０８Ａ、１０８Ｂを流下した遊技球が流出する２つの球排出通路出口１１０Ａ、１１０Ｂが左右方向に相互に隣接して形成されている。
【００４５】
図１６（Ａ）、（Ｂ）に示されるように、球抜きレバー１２０は、レバー本体１２２の裏面視右側端部に操作部１２３が突設されており、レバー本体１２２の裏面側に、２つのスロープ部１２４Ａ、１２４Ｂが設けられている。
【００４６】
スロープ部１２４Ａ、１２４Ｂは、上部球払出通路１０４Ａ、１０４Ｂの間隔と略同間隔で配置されている。レバー本体１２２の裏面左側に位置するスロープ部１２４Ａは、上方から下方後側へ向けて湾曲するリブの端面によって幅狭に形成されており、スロープ部１２４Ａの左側には、上下方向に開放された開放部分によってスルー部１２６Ａが形成されている。
【００４７】
レバー本体１２２の裏面右側に位置するスロープ部１２４Ｂは、上方から下方後側へ向けて湾曲する曲面によって幅広に形成されている。このスロープ部１２４Ｂとスロープ部１２４Ａとの間には、上下方向に貫通する開口部によってスルー部１２６Ｂが形成されており、スルー部１２６Ｂの幅寸法は、遊技球ＰＢが通過可能な大きさに設定されている。
【００４８】
また、スロープ部１２４Ａの下流部における左側には、スロープ部１２４Ａの下流部よりも上方へ突出されたストッパー部１２８Ａが設けられており、スロープ部１２４Ａを挟んだストッパー部１２８Ａの反対側となる、スロープ部１２４Ａの下流部とスロープ部１２４Ｂの下流部の間には、スロープ部１２４Ａ、１２４Ｂの各下流部よりも上方へ突出されたストッパー部１２８Ｂが設けられている。
【００４９】
上記構成の球抜きレバー１２０は、上部球払出通路１０４Ａ、１０４Ｂと上部球排出通路１０８Ａ、１０８Ｂの分岐部に、左右方向へスライド可能に取り付けられており、図４等に示されるように、操作部１２３が上部球通路ユニット８４の裏面視右側面（外側面）から露出している。また、操作部１２３に対応する上部球通路ユニット８４の右側面部位には、ストッパー部材１２９が取り付けられており、球抜きレバー１２０の裏面視右方向（外方）へのスライド範囲はストッパー部材１２９によって制限される。
【００５０】
この球抜きレバー１２０が図８に示されるように裏面視左方向（矢印ＩＮ方向）へスライドされると、図９〜図１１、及び図１９に示されるように、上記の分岐部にスロープ部１２４Ａ、１２４Ｂが配置されて、上部球払出通路１０４Ａ、１０４Ｂが開通されるとともに、スロープ部１２４Ａ、１２４Ｂにより上部球排出通路１０８Ａ、１０８Ｂが閉塞される。
【００５１】
また、球抜きレバー１２０が図１２に示されるように裏面視右方向（矢印ＯＵＴ方向）へスライドされると、図１３〜図１５に示されるように、上記の分岐部にスルー部１２６Ａ、１２６Ｂ及びストッパー部１２８Ａ、１２８Ｂが配置されて、スルー部１２６Ａ、１２６Ｂにより上部球排出通路１０８Ａ、１０８Ｂが開通されるとともに、ストッパー部１２８Ａ、１２８Ｂにより上部球払出通路１０４Ａ、１０４Ｂの分岐部よりも下流側が略閉塞される。
【００５２】
図６及び図７に示されるように、上部球通路ユニット８４の下面後部には、払出装置固定レバー１３０が配置されている。
【００５３】
図１７（Ａ）、（Ｂ）に示されるように、払出装置固定レバー１３０は、レバー本体１３２の裏面視右側端部に操作部１３３が突設されており、操作部１３３の下端部には、左右方向に沿ったスリット溝１３４が形成されている。
【００５４】
レバー本体１３２の前部には、左右方向を長手とした矩形状の２つの取付孔１３５Ａ、１３５Ｂが形成されており、レバー本体１３２の後部には、２つのスルー部１３６Ａ、１３６Ｂが設けられている。
【００５５】
スルー部１３６Ａ、１３６Ｂは、上部球払出通路１０４Ａ、１０４Ｂの間隔と略同間隔で配置されており、各々平面視が凹円弧状に形成されている。このスルー部１３６Ａとスルー部１３６Ｂの間には、ストッパー部１３８Ａが後方へ向けて突設されており、スルー部１３６Ｂの右側には、ストッパー部１３８Ｂが後方へ向けて突設されている。
【００５６】
上記構成の払出装置固定レバー１３０は、取付孔１３５Ａ、１３５Ｂに下側から図示しないネジが各々挿通されて、上部球通路ユニット８４の下面後部に、左右方向へスライド可能に取り付けられており、図４等に示されるように、操作部１３３が上部球通路ユニット８４の裏面視右側面（外側面）における下端部から露出している。
【００５７】
この払出装置固定レバー１３０が裏面視右側（矢印ＯＵＴ方向）へスライドされると、球払出通路出口１０６Ａ、１０６Ｂの下側にスルー部１３６Ａ、１３６Ｂが配置されて、球払出通路出口１０６Ａ、１０６Ｂは開通される（図１２〜図１５参照）。また、払出装置固定レバー１３０が裏面視左側（矢印ＩＮ方向）へスライドされると、球払出通路出口１０６Ａ、１０６Ｂの下側にストッパー部１３８Ａ、１３８Ｂが配置されて、球払出通路出口１０６Ａ、１０６Ｂは略閉塞される。
【００５８】
図６及び図７に示されるように、上部球通路ユニット８４の右側面における下端部には、払出装置固定レバー１３０の前側に位置して溝部１４０が設けられている。溝部１４０は、縦断面が逆凹状とされ前後方向に沿って延設されている。そして、払出装置固定レバー１３０が裏面視右側（矢印ＯＵＴ方向）へスライドされると、溝部１４０の後側に操作部１３３が配置されて、溝部１４０の後側は略閉塞される（図４参照）。また、払出装置固定レバー１３０が裏面視左側（矢印ＩＮ方向）へスライドされると、溝部１４０の後側に位置していた操作部１３３が左側へ退避し、溝部１４０の後側は開放される（図６参照）。
【００５９】
図４に示されるように、ベース板１０２の裏面右側端部には、上部球通路ユニット８４の下側に隣接して、前述した払出装置６２が取り付けられており、払出装置６２は、図６及び図７に示されるように、上部球通路ユニット８４及び下部球通路ユニット８６が取り付けられたベース板１０２に対して着脱可能とされている。
【００６０】
払出装置６２の上面後部には、上部球通路ユニット８４の球払出通路出口１０６Ａ、１０６Ｂに対応する２つの球払出通路入口１４２Ａ、１４２Ｂが形成されており、払出装置６２内の後側には、球払出通路入口１４２Ａ、１４２Ｂに流入した遊技球を払出経路へ流下させる２本の球払出通路１４４Ａ、１４４Ｂが設けられている（図８〜図１５、及び、図１８〜図２０参照）。
【００６１】
球払出通路１４４Ａ、１４４Ｂは、払出装置６２内の上部側では、左右方向に相互に隣接し、各々上方から下方へ向けて前後方向に蛇行するよう延設されている。また、払出装置６２内の下部側に至ると、球払出通路１４４Ａ、１４４Ｂが合流して１本の球払出通路１４４Ｃとされ、この球払出通路１４４Ｃは下方へ向けて直線状に延設されている。払出装置６２の下面後部中央には、球払出通路１４４Ｃを流下した遊技球が流出する球排出通路出口１４６が形成されており、球排出通路出口１４６には、球排出通路出口１４６を通過して流出される遊技球を検出する検出センサ１４８が設けられている。
【００６２】
球払出通路１４４Ａと球払出通路１４４Ｂの合流部付近から球払出通路１４４Ｃに繋がれた通路区間には、球払出通路１４４Ａ、１４４Ｂに対応するスプロケット１５０が設けられている。このスプロケット１５０は、外周面の裏面視左側（内側）に、球払出通路１４４Ａに対応する３つの凹部１５２Ａが１２０度間隔で形成され、外周部の裏面視右側（外側）に、球払出通路１４４Ｂに対応する３つの凹部１５２Ｂが１２０度間隔で、且つ、上記３つの凹部１５２Ａに対し６０度の位相差を持って形成されており、払出装置６２内の右側端に配置されたステッピングモータ１５４（図４参照）の回転軸１５６に取り付けられて、外周部の一部が各通路内に臨むように配置されている。
【００６３】
図２３（Ａ）〜（Ｃ）、及び図２４に示されように、スプロケット１５０の外周面に設けられた各凹部１５２Ａ、１５２Ｂには、スプロケット１５０の回転方向における上流側に、その回転方向に対して略直交する向きに配置された縦壁部２００が設けられており、回転方向における下流側に、回転方向に沿った断面Ｖ字状の溝部２０２が形成されている。そしてこの凹部１５２Ａでは、縦壁部２００と溝部２０２の対向する２つの角部２０４の３箇所で遊技球ＰＢが支持される。
【００６４】
また、図２２（Ａ）、（Ｂ）に示されように、球払出通路１４４Ｃにおけるスプロケット１５０の下側には、スプロケット１５０の回転方向に対し略直交する方向に沿って延設された壁状部２０６、及び、この壁状部２０６におけるスプロケット１５０側の端部（上端部）に形成されて遊技球ＰＢが接触するＶ溝（凹溝）２０８により構成されたガイド部が設けられている。
【００６５】
また、払出装置６２内の左側端には、検出センサ１４８と電気的に接続されたコネクタ１５８、及び、ステッピングモータ１５４と電気的に接続されたコネクタ１６０が設けられており（図２１（Ａ）参照）、これらのコネクタ１５８、１６０には、払出制御基板８８に接続された図示しないハーネスのコネクタが各々接続される。これにより、検出センサ１４８による遊技球検出信号が払出制御基板８８へ出力され、払出制御基板８８からステッピングモータ１５４へ駆動電力が供給されるとともに回転制御信号が入力される。
【００６６】
図６及び図７に示されるように、払出装置６２の上面前部には、上部球通路ユニット８４の球排出通路出口１１０Ａ、１１０Ｂに対応する２つの球排出通路入口１６２Ａ、１６２Ｂが形成されており、払出装置６２内の前側には、球排出通路入口１６２Ａ、１６２Ｂに流入した遊技球を排出経路へ流下させる２本の球排出通路１６４Ａ、１６４Ｂが設けられている（図８〜図１５参照）。
【００６７】
球排出通路１６４Ａ、１６４Ｂは、左右方向に相互に隣接し、各々上方から下方へ向けて延設されている。払出装置６２の下面前部には、この球排出通路１６４Ａ、１６４Ｂを流下した遊技球が流出する２つの球排出通路出口１６６Ａ、１６６Ｂが左右方向に相互に隣接して形成されている。
【００６８】
また、払出装置６２の上面右側部には、上部球通路ユニット８４の溝部１４０に対応する縦断面が凸状とされた固定リブ１６８が前後方向に沿って延設されており、固定リブ１６８の後側には、払出装置固定レバー１３０のスリット溝１３４に対応する平面視がＬ字形とされたストッパーリブ１７０が設けられている。
【００６９】
図４に示されるように、ベース板１０２の裏面右側端部の下側には、払出装置６２の下側に隣接して、前述した下部球通路ユニット８６が取り付けられている。この下部球通路ユニット８６は、ベース板１０２に複数本のネジ１７１によって取り付けられている。
【００７０】
図６及び図７に示されるように、下部球通路ユニット８６の上面後側略中央には、払出装置６２の球排出通路出口１４６に対応する球払出通路入口１７２が形成されており、下部球通路ユニット８６には、球払出通路入口１７２に流入した遊技球を払出経路へ流下させる下部球払出通路１７４が設けられている。
【００７１】
下部球払出通路１７４は、球払出通路入口１７２から下方左側（内側）へ向けて延設されるとともに、図５に示されるように、ベース板１０２の正面視左下に球払出通路出口１７６が配置されて前述した貯球タンク７４のタンク入口に接続される。
【００７２】
下部球通路ユニット８６の上面前部には、払出装置６２の球排出通路出口１６６Ａ、１６６Ｂに対応する２つの球排出通路入口１７８Ａ、１７８Ｂが形成されており、下部球通路ユニット８６には、球排出通路入口１７８Ａ、１７８Ｂに流入した遊技球を排出経路へ流下させる２本の下部球排出通路１８０Ａ、１８０Ｂが設けられている。
【００７３】
下部球排出通路１８０Ａ、１８０Ｂは、左右方向に相互に隣接し、各々上方から下方左側（内側）へ向けて延設されるとともに、図５に示されるように、ベース板１０２の正面視左下における、球払出通路出口１７６よりも右側（内側）に球払出通路出口１８２Ａ、１８２Ｂが配置されている。
【００７４】
また、下部球通路ユニット８６の上面左側端部には、払出装置６２の左右方向の取付位置を定める位置決めリブ１８４が前後方向に沿って延設されており、上面右側端部には、払出装置６２を固定する固定レバー１８６が設けられている。
【００７５】
固定レバー１８６は、上下方向に弾性変形可能とされた平板状のレバー本体１８８を備え、レバー本体１８８の後端部に、下方へ延出された操作部１９０、及び、上方へ突出されたツメ部１９２が設けられている。また、払出装置６２の下面には、ツメ部１９２に対応するスリット状の開口部（図示省略）が形成されている。
【００７６】
本実施形態の払出機構１００では、上述したように、上部球通路ユニット８４及び下部球通路ユニット８６が取り付けられたベース板１０２に対して払出装置６２が着脱可能に構成されている。この払出装置６２を取り付けるには、先ず、払出装置固定レバー１３０の操作部１３３を指で裏面視左方向（矢印ＩＮ方向）へ押し込み、払出装置固定レバー１３０を左側へスライドさせて溝部１４０の後側を開放する（図６参照）。
【００７７】
次に、払出装置６２を後方から下部球通路ユニット８６の上面に乗せて、固定リブ１６８を上部球通路ユニット８４に溝部１４０に嵌め合わせ、そのまま前方へ押し込んで下部球通路ユニット８６と上部球通路ユニット８４の間に嵌め入れる。
【００７８】
払出装置６２の前面がベース板１０２に略突き当たるまで押し込むと、払出装置６２の下面に形成されたスリット状の開口部（図示省略）に、固定レバー１８６のツメ部１９２が嵌まり込む。この状態で、払出装置６２の左側面の下端部が位置決めリブ１８４に接触し、これにより、払出装置６２の下部側は、左右及び前後方向の位置が定められて固定レバー１８６によりロックされる。
【００７９】
また、払出装置６２の上部側では、固定リブ１６８が払出装置固定レバー１３０の右側（外側）を通過し、上部球通路ユニット８４の溝部１４０に嵌め込まれて収容され、左右方向の位置が定まる。そして、払出装置固定レバー１３０の操作部１３３に指を引っ掛けて裏面視右方向（矢印ＯＵＴ方向）へ引き出し、払出装置固定レバー１３０を右側へスライドさせると、スリット溝１３４がストッパーリブ１７０に嵌まり込み（図４及び図１７参照）、前後方向の位置が定まる。これにより、払出装置６２の上部側は、左右及び前後方向の位置が定められて払出装置固定レバー１３０によりロックされる。
【００８０】
以上の手順で、上部球通路ユニット８４と下部球通路ユニット８６の間に払出装置６２が取り付けられ、払出機構１００はユニット化される。この払出機構１００では、払出装置固定レバー１３０が裏面視右側（矢印ＯＵＴ方向）へスライドした状態であるため、球払出通路出口１０６Ａ、１０６Ｂの下側にスルー部１３６Ａ、１３６Ｂが配置され、球払出通路出口１０６Ａ、１０６Ｂは開通している。
【００８１】
また、球抜きレバー１２０が裏面視左方向（矢印ＩＮ方向）へスライドされると、上部球払出通路１０４Ａ、１０４Ｂと上部球排出通路１０８Ａ、１０８Ｂの分岐部にスロープ部１２４Ａ、１２４Ｂが配置され、上部球通路ユニット８４の上部球払出通路１０４Ａ、１０４Ｂ、払出装置６２の球払出通路１４４Ａ、１４４Ｂ、１４４Ｃ、及び、下部球通路ユニット８６の下部球払出通路１７４が連通して、上タンク８０及び下タンク８２に貯留された遊技球を、貯球タンク７４を経て上皿４２に払い出す払出経路が形成される。
【００８２】
逆に、球抜きレバー１２０が裏面視右方向（矢印ＯＵＴ方向）へスライドされると、上部球払出通路１０４Ａ、１０４Ｂと上部球排出通路１０８Ａ、１０８Ｂの分岐部にスルー部１２６Ａ、１２６Ｂ及びストッパー部１２８Ａ、１２８Ｂが配置され、上部球払出通路１０４Ａ、１０４Ｂの途中から分岐した上部球排出通路１０８Ａ、１０８Ｂ、払出装置６２の球排出通路１６４Ａ、１６４Ｂ、及び、下部球通路ユニット８６の下部球排出通路１８０Ａ、１８０Ｂが連通して、上タンク８０及び下タンク８２に貯留された遊技球をパチンコ機１０の外部に排出する排出経路（球抜き経路）が形成される。
【００８３】
この払出機構１００を備えるパチンコ機１０にて、遊技を行う際は、球抜きレバー１２０の操作部１２３を指で押し込み、図８に示されるように、球抜きレバー１２０を裏面視左側（矢印ＩＮ方向）へスライドさせた状態とする。これにより、上タンク８０及び下タンク８２に貯留された遊技球は、上部球払出通路１０４Ａ、１０４Ｂを流下し、上記の分岐部では、図９、図１１、及び図１６に示されるように、遊技球ＰＢが球抜きレバー１２０のスロープ部１２４Ａ、１２４Ｂに誘導されて、払出装置６２の球払出通路１４４Ａ、１４４Ｂに流下し、スプロケット１５０に塞き止められてスプロケット１５０の上流側に滞留される。
【００８４】
そして、球貸し時や入賞時等には、払出制御基板８８がステッピングモータ１５４を制御して回転駆動させる。これにより、スプロケット１５０が回転して、球払出通路１４４Ａ、１４４Ｂ内の遊技球ＰＢは凹部１５２Ａ、１５２Ｂに嵌まり込み、スプロケット１５０の回転に伴い交互に球払出通路１４４Ｃへ誘導されて、貸し球又は賞球として払い出される（図２０（Ａ）、（Ｂ）参照）。
【００８５】
払出装置６２から払い出される遊技球ＰＢは、検出センサ１４８によって検出され、検出センサ１４８は、遊技球ＰＢの検出毎に検出信号を払出制御基板８８に出力する。この検出信号に基づいて、払出制御基板８８はステッピングモータ１５４を制御し、これにより、スプロケット１５０の回転／停止が制御されて、遊技球ＰＢの払い出し数が制御される。そして、払出装置６２から払い出された遊技球ＰＢは、下部球払出通路１７４を流下し、貯球タンク７４を通過して上皿４２に払い出される。
【００８６】
また、パチンコ機１０のメンテナンスや入れ替え等により、球抜きを行う際は、球抜きレバー１２０の操作部１２３に指を引っ掛けて、図１２に示されるように、球抜きレバー１２０を裏面視右側（矢印ＯＵＴ方向）へスライドさせる。これにより、球抜きレバー１２０の上流側に滞留された遊技球、及び、上タンク８０及び下タンク８２に貯留された遊技球は、図１３、図１５、及び図１６に示されるように、遊技球ＰＢが球抜きレバー１２０のスルー部１２６Ａ、１２６Ｂを通り抜けて、払出装置６２の球排出通路１６４Ａ、１６４Ｂに流下し、更に、下部球払出通路１７４を流下してパチンコ機１０の外部に排出される。
【００８７】
また、パチンコ機１０のメンテナンスや、払出機構１００における球詰まりの解消等のために、払出装置６２を取り外す際は、先ず、払出装置固定レバー１３０の操作部１３３を指で押し込み、払出装置固定レバー１３０を裏面視左側（矢印ＩＮ方向）へスライドさせて、スリット溝１３４をストッパーリブ１７０から抜き出し、払出装置６２の上部側のロックを解除する。このロック解除に伴い、球払出通路出口１０６Ａ、１０６Ｂは払出装置固定レバー１３０のストッパー部１３８Ａ、１３８Ｂによって略閉塞され、払出装置固定レバー１３０の上流側に滞留した遊技球はストッパー部１３８Ａ、１３８Ｂに塞き止められる。
【００８８】
次に、固定レバー１８６の操作部１９０を指で押し込み、レバー本体１８８を下方へ撓ませてツメ部１９２による払出装置６２の下部側に対するロックを解除し、そのまま、払出装置６２を後方へ引き抜くと、上部球通路ユニット８４と下部球通路ユニット８６の間から払出装置６２が取り外される。そして、この払出機構１００では、払出装置６２が取り外されても、払出装置固定レバー１３０の上流側に滞留した遊技球が球払出通路出口１０６Ａ、１０６Ｂから流出しないため、遊技球の流出を気にすることなく、払出装置６２を簡単に取り外すことができる。
【００８９】
次に、本実施形態の作用について説明する。
【００９０】
上記構成の払出装置６２を備えたパチンコ機１０では、上述したように、上流側の上部球通路ユニット８４から球払出通路１４４Ａ、１４４Ｂを通って払出装置６２内に供給された遊技球ＰＢは、スプロケット１５０の外周面に設けられた凹部１５２Ａ、１５２Ｂに嵌まり込んで支持され、スプロケット１５０の回転に伴い、下流側の球払出通路１４４Ｃへ払い出される。そしてこのスプロケット１５０の凹部１５２Ａ、１５２Ｂでは、遊技球ＰＢを縦壁部２００及び溝部２０２の２つの角部２０４の３箇所で支持し払い出し方向（下流側）へ誘導させるため、スプロケット１５０の回転方向と直交する方向での遊技球ＰＢの移動が抑えられる。これにより、遊技球ＰＢの払い出し速度を高速化する場合でも、スプロケット１５０の凹部１５２Ａ、１５２Ｂに支持（装填）された遊技球ＰＢのガタツキやバウンド等が抑えられ、球詰まりの発生を回避できるようになる。
【００９１】
また、特に本実施形態では、上記の凹部１５２Ａ、１５２Ｂに３箇所で支持された遊技球ＰＢは、スプロケット１５０の回転方向における上流側では、回転方向に対して略直交する向きに配置された縦壁部２００に当接されて支持され、下流側では、回転方向に沿って形成された断面Ｖ字状の溝部２０２に嵌まり込み、その溝部２０２の対向する２つの角部２０４に支持されて、払い出し方向へ誘導される（図２３（Ｂ）参照）。この溝部２０２によって、回転方向と直交する方向への遊技球ＰＢの移動を抑えつつ、縦壁部２００によって、遊技球ＰＢを回転方向へ押圧し円滑に誘導できるため、球詰まりの発生をより確実に回避することができる。
【００９２】
また、本実施形態では、スプロケット１５０の凹部１５２Ａ、１５２Ｂに支持された遊技球ＰＢは、スプロケット１５０の回転に伴い、球払出通路１４４Ｃにおけるスプロケット１５０の下側に設けられた壁状部２０６のＶ溝２０８（ガイド部）に接触して、凹部１５２Ａ、１５２Ｂから離脱し通路内に落下する。このようなガイド部を設けることで、スプロケット１５０から球払出通路１４４Ｃへの円滑な遊技球ＰＢの受け渡しが可能となる。
【００９３】
ここで、例えば上記のガイド部の形状が、図２５（Ａ）に示されるように、スプロケット１５０の回転方向と直交する一様のエッジ状（平端な壁状部２０６）等であると、特にスプロケット１５０の高速回転による高速払い出しにおいて、スプロケット１５０との間での球詰まりが発生しやすくなる。
【００９４】
これに対し、図２５（Ｃ）に示されるように、ガイド部をＶ字型（Ｖ溝２０８）とした場合には、そのＶ字型のガイド部との接触で遊技球ＰＢが払い出し方向へ押し出される力が大きくなり、スプロケット１５０とガイド部との間で発生する球詰まりが回避できるようになる。
【００９５】
すなわち、図２５（Ａ）に示すようなエッジ状のガイド部（壁状部２０６）と、図２５（Ｃ）に示すようなＶ字型のガイド部（Ｖ溝２０８）とでは、遊技球ＰＢがスプロケット１５０（凹部１５２Ａ、１５２Ｂの縦壁部２００）及びガイド部（壁状部２０６又はＶ溝２０８）に接触する箇所の距離の関係がＬ１＞Ｌ２となる。そのため、図２５（Ｂ）、（Ｄ）に示されるように、遊技球ＰＢがガイド部から受ける力のＸ方向の分力はＦ２１Ｘ＜Ｆ２２Ｘとなり、エッジ状よりもＶ字型のガイド部の方が遊技球ＰＢをＸ方向へ押し出す（逃がす）力が大きくなり、球詰まりが発生しにくくなる。
【００９６】
なお、図２５（Ａ）〜（Ｄ）に示した符号は以下のとおりである。
【００９７】
〔エッジ状のガイド部における〕
Ｌ１：遊技球がスプロケット及びガイド部と接触する箇所の距離
Ｆ１１：スプロケットから遊技球に作用する力
Ｆ２１：ガイド部から遊技球に作用する力
Ｆ２１Ｘ：Ｆ２１のＸ方向の分力
Ｆ２１Ｙ：Ｆ２１のＹ方向の分力
【００９８】
〔Ｖ字型のガイド部における〕
Ｌ２：遊技球がスプロケット及びガイド部と接触する箇所の距離
Ｆ１２：スプロケットから遊技球に作用する力
Ｆ２２：ガイド部から遊技球に作用する力
Ｆ２２Ｘ：Ｆ２２のＸ方向の分力
Ｆ２２Ｙ：Ｆ２２のＹ方向の分力
【００９９】
（第２の実施形態）
次に、本発明の第２の実施形態に係る払出装置について説明する。なお、本実施形態の払出装置については、上述した第１の実施形態に係る払出装置６２と同一構成には同一符号を付してその説明を省略する。
【０１００】
図２６〜図２８に示されるように、本実施形態に係る払出装置６３のスプロケット１５１では、外周面の幅方向（スプロケット１５１の軸方向）中央に、スプロケット１５１の回転方向に沿ってスリット２１０が形成されている。
【０１０１】
また、図２６（Ａ）、（Ｂ）に示されように、球払出通路１４４Ｃにおけるスプロケット１５０の下側には、ガイド部としての凸状部２１２が突設されており、この凸状部２１２は、スプロケット１５１のスリット２１０内に挿入されている。
【０１０２】
このように、本実施形態の払出装置６３では、スプロケット１５１の外周面に回転方向に沿って形成したスリット２１０内に、ガイド部を構成する凸状部２１２を挿入させていることで、スプロケット１５１の回転に伴い遊技球ＰＢが凸状部２１２に接触し、払い出し方向へ叩き落とされるようになる。これにより、スプロケット１５１とガイド部を構成する凸状部２１２との間で発生する球詰まりをより確実に回避することができる。
【０１０３】
以上、本発明を上述した第１及び第２の実施形態により詳細に説明したが、本発明はそれらに限定されるものではなく、本発明の範囲内にて他の種々の形態が実施可能である。例えば、上述した実施形態の払出装置６２、６３では、複数の供給通路（球払出通路１４４Ａ、１４４Ｂ）から供給された遊技球ＰＢを、スプロケット１５０、１５１の凹部１５２Ａ、１５２Ｂにより支持してスプロケット１５０、１５１の回転に伴い１つの排出通路へ払い出すよう構成されているが、本発明は、複数の供給通路から供給された遊技球ＰＢをそのまま複数の排出通路へ払い出すような構成の払出装置に対しても適用することができる。
【図面の簡単な説明】
【０１０４】
【図１】本発明の第１の実施形態に係るパチンコ機を示す正面側から見た斜視図である。
【図２】本発明の第１の実施形態に係るパチンコ機のガラス枠及び皿ユニットが開放された状態を示す正面側から見た斜視図である。
【図３】本発明の第１の実施形態に係るパチンコ機を示す背面側から見た斜視図である。
【図４】本発明の第１の実施形態に係るパチンコ機の裏面に設けられた払出機構を示す背面側から見た斜視図である。
【図５】本発明の第１の実施形態に係るパチンコ機の裏面に設けられた払出機構を示す正面側から見た斜視図である。
【図６】本発明の第１の実施形態に係る払出機構の払出装置が取り外された状態を示す背面側から見た分解斜視図である。
【図７】本発明の第１の実施形態に係る払出機構の上部球通路ユニット及び払出装置が取り外された状態を示す背面側から見た分解斜視図である。
【図８】本発明の第１の実施形態に係る払出機構の通常状態を示す背面図である。
【図９】図８の９−９線断面図である。
【図１０】図８の１０−１０線断面図である。
【図１１】図８の１１−１１線断面図である。
【図１２】本発明の第１の実施形態に係る払出機構の球抜き状態を示す背面図である。
【図１３】図１２の１３−１３線断面図である。
【図１４】図１２の１４−１４線断面図である。
【図１５】図１２の１５−１５線断面図である。
【図１６】本発明の第１の実施形態に係る球抜きレバーを示す（Ａ）が背面側から見た斜視図、（Ｂ）が正面側から見た斜視図である。
【図１７】本発明の第１の実施形態に係る払出装置固定レバーを示す（Ａ）が背面側から見た斜視図、（Ｂ）が正面側から見た斜視図である。
【図１８】本発明の第１の実施形態に係る払出機構の上部球通路ユニット及び払出装置を示す背面側から見た断面図である。
【図１９】（Ａ）は図１８の１９Ａ−１９Ａ線断面図、（Ｂ）は図１８の１９Ｂ−１９Ｂ線断面図である。
【図２０】（Ａ）、（Ｂ）は図１９（Ａ）における破線部内側（払出装置付近）を拡大して遊技球の払い出し動作を示す拡大断面図である。
【図２１】本発明の第１の実施形態に係る払出装置を示す（Ａ）が背面図、（Ｂ）が側面図である。
【図２２】（Ａ）は図２１（Ｂ）の２２Ａ−２２Ａ線断面図、（Ｂ）は図２１（Ａ）の２２Ｂ−２２Ｂ線断面図である。
【図２３】本発明の第１の実施形態に係るスプロケットを示す（Ａ）が正面（背面）図、（Ｂ）が側面図、（Ｃ）が平面図である。
【図２４】本発明の第１の実施形態に係るスプロケットを示す斜視図である。
【図２５】（Ａ）、（Ｂ）が従来のガイド部によりガイドされる遊技球に作用する力を説明する説明図、（Ｃ）、（Ｄ）が本発明の第１の実施形態に係るガイド部によりガイドされる遊技球に作用する力を説明する説明図である。
【図２６】本発明の第１の実施形態に係る払出装置を示す（Ａ）は図２１（Ｂ）の２６Ａ−２６Ａ線断面図、（Ｂ）は図２１（Ａ）の２６Ｂ−２６Ｂ線断面図である。
【図２７】本発明の第２の実施形態に係るスプロケットを示す（Ａ）が正面（背面）図、（Ｂ）が側面図、（Ｃ）が平面図である。
【図２８】本発明の第２の実施形態に係るスプロケットを示す斜視図である。
【符号の説明】
【０１０５】
１０        パチンコ機（遊技機）
６２        払出装置
６３        払出装置
１００      払出機構
１４４Ａ    球払出通路（供給通路）
１４４Ｂ    球払出通路（供給通路）
１４４Ｃ    球払出通路（排出通路）
１５０      スプロケット（回転体）
１５１      スプロケット（回転体）
１５２Ａ    凹部
１５２Ｂ    凹部
２００      縦壁部（支持部）
２０２      溝部
２０４      角部（支持部）
２０６      壁状部
２０８      Ｖ溝
２１０      スリット
２１２      凸状部
ＰＢ        遊技球
【図１】
2008068030.tif 000003
【図２】
2008068030.tif 000004
【図３】
2008068030.tif 000005
【図４】
2008068030.tif 000006
【図５】
2008068030.tif 000007
【図６】
2008068030.tif 000008
【図７】
2008068030.tif 000009
【図８】
2008068030.tif 000010
【図９】
2008068030.tif 000011
【図１０】
2008068030.tif 000012
【図１１】
2008068030.tif 000013
【図１２】
2008068030.tif 000014
【図１３】
2008068030.tif 000015
【図１４】
2008068030.tif 000016
【図１５】
2008068030.tif 000017
【図１６】
2008068030.tif 000018
【図１７】
2008068030.tif 000019
【図１８】
2008068030.tif 000020
【図１９】
2008068030.tif 000021
【図２０】
2008068030.tif 000022
【図２１】
2008068030.tif 000023
【図２２】
2008068030.tif 000024
【図２３】
2008068030.tif 000025
【図２４】
2008068030.tif 000026
【図２５】
2008068030.tif 000027
【図２６】
2008068030.tif 000028
【図２７】
2008068030.tif 000029
【図２８】
2008068030.tif 000030